(57)【要約】【課題】  高い位置と低い位置の双方に対して未散布の部分を生じることなく均一かつ満遍なく薬液散布するとともに、一台のスピードスプレーヤにより実現して付加価値及びコストパフォーマンスを高める。【解決手段】  薬液タンク１０から供給される薬液Ｌを複数の噴霧ノズル部Ｎ…から少なくとも上方に噴霧する薬液噴霧機構部２を備えるスピードスプレーヤ１を構成するに際して、少なくとも複数の噴霧ノズル部Ｎ…を含む薬液噴霧機構部２の一部又は全部を上下方向へ変位可能に支持する噴霧機構支持部３と、この噴霧機構支持部３に支持される薬液噴霧機構部２を少なくとも上位置Ｘｕと下位置Ｘｄの二位置へ選択的に変位させる噴霧機構移動部４を設ける。【選択図】  図１
2009195766.tif 000002
【特許請求の範囲】
【請求項１】
薬液タンクから供給される薬液を複数の噴霧ノズル部から少なくとも上方に噴霧する薬液噴霧機構部を備えるスピードスプレーヤにおいて、少なくとも前記複数の噴霧ノズル部を含む前記薬液噴霧機構部の一部又は全部を上下方向へ変位可能に支持する噴霧機構支持部と、この噴霧機構支持部に支持される前記薬液噴霧機構部を少なくとも上位置と下位置の二位置へ選択的に変位させる噴霧機構移動部を備えることを特徴とするスピードスプレーヤ。
【請求項２】
前記噴霧機構支持部は、送風ファンを含む風洞部及び前記複数の噴霧ノズル部を備える前記薬液噴霧機構部の全部を支持することを特徴とする請求項１記載のスピードスプレーヤ。
【請求項３】
前記噴霧機構支持部は、前記薬液噴霧機構部における前端部の上部及び下部を支持するリニアガイドを備えることを特徴とする請求項１又は２記載のスピードスプレーヤ。
【請求項４】
前記噴霧機構移動部は、前記噴霧機構支持部に支持される前記薬液噴霧機構部を、少なくとも上位置と下位置の二位置へ昇降移動させる一又は二以上の動力アクチュエータ部を備えることを特徴とする請求項１記載のスピードスプレーヤ。
【請求項５】
前記噴霧機構移動部は、前記噴霧機構支持部に支持される前記薬液噴霧機構部を、少なくとも上位置と下位置の二位置へマニュアル操作により昇降移動させる手動操作部を備えることを特徴とする請求項１記載のスピードスプレーヤ。
【発明の詳細な説明】
【技術分野】
【０００１】
本発明は、薬液タンクから供給される薬液を複数の噴霧ノズル部から噴霧する薬液噴霧機構部を備えるスピードスプレーヤに関する。
【背景技術】
【０００２】
一般に、果樹園や農耕地などの圃場内を走行しながら薬液を散布し、防除作業を行うスピードスプレーヤは知られており、この種のスピードスプレーヤは、薬液タンクから供給される薬液を複数の噴霧ノズル部から上方，左方及び右方に噴霧する薬液噴霧機構部を搭載している。
【０００３】
従来、このような薬液噴霧機構部としては、特許文献１で開示されるスピードスプレーヤの薬液噴霧装置が知られている。同文献１には、薬液タンクから複数の噴霧ノズルに薬液を供給し、各噴霧ノズルから薬液を噴霧するスピードスプレーヤの薬液噴霧装置において、噴霧ノズルから薬液を噴霧する複数の噴霧系統と、薬液タンクから各噴霧系統に対して異なる噴霧圧力の薬液を供給する異圧薬液供給手段と、各噴霧系統に対する薬液の供給又は停止を切換える切換手段とを備えて構成したスピードスプレーヤの薬液噴霧装置が開示されている。
【特許文献１】特開２００６−２０５１２６号
【発明の開示】
【発明が解決しようとする課題】
【０００４】
しかし、上述した従来におけるスピードスプレーヤの薬液噴霧装置（薬液噴霧機構部）は、次のような解決すべき課題が存在した。
【０００５】
通常、スピードスプレーヤの車高は、リンゴや桃等のように比較的大きな樹木に対して薬液散布を行う場合にはほとんど問題になることはないが、ブドウ栽培のような棚作の場合、スピードスプレーヤの車高は無視できない問題となる。即ち、スピードスプレーヤに搭載する薬液噴霧機構部は、図１０に示すように、複数の噴霧ノズル部Ｎ…が所定間隔置きに配されるとともに、各噴霧ノズル部Ｎ…間の間隔は、送風性能の確保やコスト面を考慮してある程度の広さを確保している。このため、特に、車高が１２０〔ｃｍ〕前後となる中型或いは大型のスピードスプレーヤにより薬液散布を行う場合、比較的高い位置Ｈａにあるリンゴや桃等に対しては、各噴霧ノズル部Ｎ…から噴霧されるミスト状の薬液Ｌが比較的均一かつ満遍なく散布されるが、高さが１７０〔ｃｍ〕程度に設置されるブドウ棚の場合には、比較的低い位置Ｈｇにブドウ等があるため、各噴霧ノズル部Ｎ…がブドウ等に接近し、図１０に示すように、薬液Ｌの散布に濃淡のムラが生じたり、未散布の部分Ｌｎ…が発生してしまう。したがって、栽培農家がリンゴや桃等の栽培に加え、ブドウ栽培等の棚作を行う場合、所有するスピードスプレーヤを使用しても良好な薬液散布を行うことができなかったり、或いは使用することができない問題があった。
【０００６】
本発明は、このような背景技術に存在する課題を解決したスピードスプレーヤの提供を目的とするものである。
【課題を解決するための手段】
【０００７】
本発明は、上述した課題を解決するため、薬液タンク１０から供給される薬液Ｌを複数の噴霧ノズル部Ｎ…から少なくとも上方に噴霧する薬液噴霧機構部２を備えるスピードスプレーヤ１を構成するに際して、少なくとも複数の噴霧ノズル部Ｎ…を含む薬液噴霧機構部２の一部又は全部を上下方向へ変位可能に支持する噴霧機構支持部３と、この噴霧機構支持部３に支持される薬液噴霧機構部２を少なくとも上位置Ｘｕと下位置Ｘｄの二位置へ選択的に変位させる噴霧機構移動部４を設けたことを特徴とする。
【０００８】
この場合、発明の好適な態様により、噴霧機構支持部３は、送風ファン５ｆを含む風洞部５及び複数の噴霧ノズル部Ｎ…を備える薬液噴霧機構部２の全部を支持することができるとともに、噴霧機構支持部３には、薬液噴霧機構部２における前端部２ｆの上部２ｕ及び下部２ｄを支持するリニアガイド６ｕｐ，６ｕｑ，６ｄｐ，６ｄｑを用いることができる。なお、噴霧機構移動部４には、噴霧機構支持部３に支持される薬液噴霧機構部２を、少なくとも上位置Ｘｕと下位置Ｘｄの二位置へ昇降移動させる一又は二以上の動力アクチュエータ部７ａ，７ｂ，７ｃを用いてもよいし、或いは噴霧機構支持部３に支持される薬液噴霧機構部２を、少なくとも上位置Ｘｕと下位置Ｘｄの二位置へマニュアル操作により昇降移動させる手動操作部８を用いてもよい。
【発明の効果】
【０００９】
このような構成を有する本発明に係るスピードスプレーヤ１によれば、次のような顕著な効果を奏する。
【００１０】
（１）  噴霧機構支持部３に支持される薬液噴霧機構部２を少なくとも上位置Ｘｕと下位置Ｘｄへ選択的に変位させる噴霧機構移動部４を設けたため、高い位置に対する薬液散布と低い位置に対する薬液散布の双方を良好に行うことができる。即ち、高い位置にあるリンゴや桃等に加えて、棚作による低い位置にあるブドウ等に対しても、未散布の部分を生じることなく均一かつ満遍なく薬液散布することができる。しかも、一台のスピードスプレーヤ１により実現できるため、スピードスプレーヤ１の付加価値、更にはコストパフォーマンスを飛躍的に高めることができる。
【００１１】
（２）  スピードスプレーヤ１は、凹凸や段差のある地面を走行することが多いため、最低地上高はある程度高くすることが望ましいが、薬液噴霧機構部２を上位置Ｘｕに対して下位置Ｘｄに変位させる選択モードを備えるため、上位置Ｘｕをより高い位置に設定することができる。したがって、上位置Ｘｕで使用するリンゴや桃等に対する薬液散布や一般道路等の走行、更には凹凸や段差の大きい地面の走行等における走行性能（走行性）を高めることができる。
【００１２】
（３）  好適な態様により、噴霧機構支持部３を構成するに際し、送風ファン５ｆを含む風洞部５及び複数の噴霧ノズル部Ｎ…を備える薬液噴霧機構部２の全部を支持するようにすれば、噴霧ノズル部Ｎ…の変位に対応して、送風機５ｆを有する風洞部５も一体に変位させることができるため、上位置Ｘｕと下位置Ｘｄにおける薬液噴霧機構部２の基本的な噴霧能力の変動が回避され、もって、噴霧能力（噴霧性能）の安定性を確保できる。
【００１３】
（４）  好適な態様により、噴霧機構支持部３を構成するに際し、薬液噴霧機構部２における前端部２ｆの上部２ｕ及び下部２ｄを支持するリニアガイド６ｕｐ，６ｕｑ，６ｄｐ，６ｄｑを用いれば、薬液噴霧機構部２及びその周辺部位の大型化を招くことなく、小型コンパクトに構成することができる。
【００１４】
（５）  好適な態様により、噴霧機構移動部４を構成するに際し、噴霧機構支持部３に支持される薬液噴霧機構部２を、少なくとも上位置Ｘｕと下位置Ｘｄの二位置へ昇降移動させる一又は二以上の動力アクチュエータ部７ａ，７ｂ，７ｃを用いれば、運転席に設けた操作スイッチ等により遠隔操作できるため、利便性の向上に寄与できる。
【００１５】
（６）  好適な態様により、噴霧機構移動部４を構成するに際し、噴霧機構支持部３に支持される薬液噴霧機構部２を、少なくとも上位置Ｘｕと下位置Ｘｄの二位置へマニュアル操作により昇降移動させる手動操作部８を用いれば、簡易な構造により構築できるため、低コスト性に寄与できる。
【発明を実施するための最良の形態】
【００１６】
次に、本発明に係る最良の実施形態を挙げ、図面に基づき詳細に説明する。
【００１７】
まず、本実施形態に係るスピードスプレーヤ１の理解を容易にするため、スピードスプレーヤ全体の概略構成について、図６を参照して説明する。
【００１８】
スピードスプレーヤ１において、５１はシャーシであり、このシャーシ５１の前側に左右一対の前輪５２…を備えるとともに、後側に左右一対の後輪５３…を備える。前輪５２…及び後輪５３…は、シャーシ５１に搭載されるエンジンにより四輪駆動される。また、シャーシ５１上のボディ５４には、前部に運転席５５を備えるとともに、運転席５５の前方におけるフロントパネル５６には、ヘッドライト等のライト類やバックミラー等を備える。なお、５７はドライバシート、５８はステアリングハンドルを示す。一方、運転席５５の後方には薬液タンク１０を搭載する。そして、この薬液タンク１０の後方には薬液噴霧機構部２を搭載する。
【００１９】
次に、この薬液噴霧機構部２を含む本発明の要部構成について、図１〜図４を参照して具体的に説明する。
【００２０】
図１（ａ）に示すように、薬液噴霧機構部２は、下端に位置するベースフレーム部２１を備え、このベースフレーム部２１の上に風洞部５及びこの前方に配した噴霧部２２を設置して構成する。したがって、この薬液噴霧機構部２は、上述したシャーシ５１及びボディ５４を含むスピードスプレーヤ１の本体側とは別体に構成する。風洞部５は、全体を円筒形（トンネル形）に構成し、内部に送風ファン５ｆを備える。噴霧部２２は、風洞部５の前方に配した前後一対の整流板２３，２４を備えるとともに、この整流板２３，２４の周方向に沿って配した複数の噴霧ノズル部Ｎ…を備える。この場合、整流板２３，２４の周方向に沿って配した薬液送管Ｐ…（図５参照）を備え、この薬液送管Ｐ…の中途位置に分岐管を介して各噴霧ノズル部Ｎ…を付設する。なお、図５に示す噴霧ノズル部Ｎ…は、上側のみである。
【００２１】
これにより、薬液タンク１０の薬液Ｌは、不図示の噴霧ポンプを介して薬液送管Ｐ…に供給され、各噴霧ノズル部Ｎ…から噴霧されるとともに、噴霧された薬液Ｌは、風洞部５（送風ファン５ｆ）からの送風によって、スピードスプレーヤ１の右方，左方及び上方を含む放射方向の所定エリアに散布される。その他、図２中、２５…はブレーキランプ及びウィンカ等を有するランプユニットを示すとともに、２６は状況に応じて右方への薬液散布を遮断する開閉式の遮蔽プレートを示す。なお、図１及び図６における遮蔽プレート２６の記載は省略した。
【００２２】
一方、この薬液噴霧機構部２は、噴霧機構支持部３により上下方向へ変位可能に支持される。噴霧機構支持部３は、薬液噴霧機構部２の前端部２ｆにおける上部２ｕ及び下部２ｄを支持する四つのリニアガイド６ｕｐ，６ｕｑ，６ｄｐ，６ｄｑを備える。即ち、上側に離間して配した左右一対のリニアガイド６ｕｐ，６ｕｑと下側に離間して配した左右一対のリニアガイド６ｄｐ，６ｄｑを備える。上側のリニアガイド６ｕｐ（６ｕｑも同じ）は、図４に示すように、ガイドシリンダ部３１ｐとシャフト部３２ｐを備え、ガイドシリンダ部３１ｐは、薬液タンク１０の後端に配した後端パネル部１０ｒに固定するとともに、シャフト部３２ｐは、薬液噴霧機構部２の前端部２ｆを構成する前側の整流板２４の前端部２４ｆに取付ける。この場合、シャフト部３２ｐの下端には、大径の取付部３２ｐｃを一体に形成し、この取付部３２ｐｃを前端部２ｆに固定した被取付ブロック３４ｐに取付ける。他方、下側のリニアガイド６ｄｐ（６ｄｑも同じ）は、図４に示すように、ガイドシリンダ部３５ｐとシャフト部３６ｐを備え、ガイドシリンダ部３５ｐは、後端パネル部１０ｒに固定した取付フレーム３７に取付けるとともに、シャフト部３６ｐは、下端をベースフレーム部２１の前端に固定した取付フレーム３８に取付けることにより上方に起立させる。
【００２３】
これにより、各シャフト部３２ｐ…，３６ｐ…は各ガイドシリンダ部３１ｐ…，３５ｐ…に対して軸方向に挿通し、各シャフト部３２ｐ…，３６ｐ…は各ガイドシリンダ部３１ｐ…，３５ｐ…により上下方向にスライド自在にガイドされる。即ち、薬液噴霧機構部２の全体（全部）が、各リニアガイド６ｕｐ…，６ｄｐ…により上下方向へ変位可能に支持される。このように、噴霧機構支持部３を、薬液噴霧機構部２における前端部２ｆの上部２ｕ及び下部２ｄに配したリニアガイド６ｕｐ，６ｕｑ，６ｄｐ，６ｄｑにより構成すれば、薬液噴霧機構部２及びその周辺部位の大型化を招くことなく、小型コンパクトに構成できる利点がある。なお、上側のリニアガイド６ｕｐ…も下側のリニアガイド６ｄｐ…と同様の前後方向位置に配設してもよい。この場合、後端パネル部１０ｒに、前方へ膨出させた凹部を設け、この凹部に上側のリニアガイド６ｕｐ…の実質的な部分を収容すればよい。これにより、上側のリニアガイド６ｕｐ…は、後端パネル部１０ｒの後面よりも後方に突出しなくなるため、送風ファン５ｆからの送風が通る空間内に配される不具合が回避される。
【００２４】
また、噴霧機構支持部３に支持される薬液噴霧機構部２を上位置Ｘｕと下位置Ｘｄの二位置へ選択的に変位させる噴霧機構移動部４を備える。この噴霧機構移動部４には、薬液噴霧機構部２を昇降移動させる三つのリニアアクチュエータ（動力アクチュエータ部）７ａ，７ｂ，７ｃを用いる。リニアアクチュエータ７ａ（７ｂ，７ｃも同じ）は、モータ及びボールねじ機構を用いた駆動部４１ａとこの駆動部４１ａにより昇降するシャフト４２ａを備える。各リニアアクチュエータ７ａ…（駆動部４１ａ…）は、図２及び図３に示すように、上述した後端パネル部１０ｒに固定した取付フレーム３７に一定間隔おきに取付けるとともに、各シャフト４２ａ…は下方に向け、その先端を、上述したベースフレーム部２１に固定した取付フレーム３８に結合、望ましくは回動軸部を介して回動自在に結合する。そして、各リニアアクチュエータ７ａ…の駆動部４１ａ…は、図３に示すように、コントローラ４５の出力ポートに接続するとともに、このコントローラ４５の入力ポート運転席５５に配した操作スイッチ等の操作部４６を接続する。なお、例示のリニアアクチュエータ７ａ…は電動式であるが、同様の機能を備える油圧シリンダやエアシリンダ等を用いてもよい。
【００２５】
次に、本実施形態に係るスピードスプレーヤ１の要部の機能及び使用方法について、図１〜図５を参照して説明する。
【００２６】
まず、操作部４６を「上位置」側に切換えれば、コントローラ４５は各リニアアクチュエータ７ａ…を正方向に駆動制御して各シャフト４２ａ…を上昇させる。これにより、薬液噴霧機構部２は、図１（ｂ）に示す上位置Ｘｕまで移動して停止する。この際、薬液噴霧機構部２は、各リニアガイド６ｕｐ…，６ｄｐ…によりガイドされ、矢印Ｆｕ方向に上昇変位する。
【００２７】
一方、操作部４６を「下位置」側に切換えれば、コントローラ４５は各リニアアクチュエータ７ａ…を逆方向に駆動制御して各シャフト４２ａ…を下降させる。これにより、薬液噴霧機構部２は、図１（ａ）に示す下位置Ｘｄまで移動して停止する。この際、薬液噴霧機構部２は、各リニアガイド６ｕｐ…，６ｄｐ…によりガイドされ、矢印Ｆｄ方向に下降変位する。なお、図１に例示する上位置Ｘｕと下位置Ｘｄ間のストローク差ΔＨｎは、概ね５〔ｃｍ〕程度に設定している。このストローク差ΔＨｎの大きさは、任意に設定できるが、ストローク差ΔＨｎが５〔ｃｍ〕程度であっても、実際上、十分な効果を得ることができる。
【００２８】
このように、本実施形態に係るスピードスプレーヤ１は、噴霧機構支持部３に支持される薬液噴霧機構部２を、噴霧機構移動部４により上位置Ｘｕと下位置Ｘｄの二位置へ選択的に変位させることができる。この場合、上位置Ｘｕが標準位置となるため、通常は、この上位置Ｘｕで使用する。即ち、比較的高い位置にあるリンゴや桃等の樹木に対する薬液散布や一般道路の走行などでは上位置Ｘｕで使用する。
【００２９】
これに対して、比較的低い位置にある棚作によるブドウ等に対して薬液散布を行う場合には、下位置Ｘｄに下降させて使用する。前述したように、高さが１７０〔ｃｍ〕程度に設置されるブドウ棚の場合には、比較的低い位置Ｈｇにブドウがあるため、噴霧ノズル部Ｎ…がブドウに接近し、薬液Ｌの散布に濃淡のムラが生じたり、未散布の部分Ｌｎ…が発生してしまうが、薬液噴霧機構部２を下位置Ｘｄまで下降させ、図５に示すように、噴霧ノズル部Ｎ…をブドウの位置Ｈｇに対して、ストローク差ΔＨｎだけ下降させれば、ブドウの位置Ｈｇと噴霧ノズル部Ｎ…間の間隔を広げることができるため、散布する薬液Ｌに濃淡のムラが生じたり、未散布の部分Ｌｎ…が発生する不具合を有効に回避できる。
【００３０】
よって、このような本実施形態に係るスピードスプレーヤ１によれば、複数の噴霧ノズル部Ｎ…を含む薬液噴霧機構部２を上下方向へ変位可能に支持する噴霧機構支持部３と、この噴霧機構支持部３に支持される薬液噴霧機構部２を少なくとも上位置Ｘｕと下位置Ｘｄへ選択的に変位させる噴霧機構移動部４を備えるため、高い位置に対する薬液散布と低い位置に対する薬液散布の双方を良好に行うことができる。即ち、高い位置にあるリンゴや桃等に加えて、棚作を行う低い位置にあるブドウ等に対しても、未散布の部分を生じることなく均一かつ満遍なく薬液散布を行うことができる。しかも、一台のスピードスプレーヤ１により実現できるため、スピードスプレーヤ１の付加価値、更にはコストパフォーマンスを飛躍的に高めることができる。
【００３１】
また、スピードスプレーヤ１は、凹凸や段差のある地面を走行することが多いため、最低地上高はある程度高くすることが望ましいが、薬液噴霧機構部２を上位置Ｘｕに対して下位置Ｘｄに変位させる選択モードを備えるため、上位置Ｘｕをより高い位置に設定することができる。したがって、上位置Ｘｕで使用するリンゴや桃等に対する薬液散布や一般道路等の走行、更には凹凸や段差の大きい地面の走行等における走行性能（走行性）を高めることができる。
【００３２】
次に、本発明の変更実施形態に係るスピードスプレーヤ１について、図７〜図９を参照して説明する。
【００３３】
図７は、操作部４６の変更例を示す。図３に示した操作部４６は、運転席５５に配した操作スイッチ等を想定したものであるが、図７に示す変更例は、ボディ５４の上端面に配設した超音波センサ等を用いた測距センサ７１により棚作によるブドウ等を自動で検出し、かつ薬液噴霧機構部２を自動で上位置Ｘｕ又は下位置Ｘに移動させるようにしたものである。このような測距センサ７１は、左右方向に複数配置し、より確実に検出できるようにすることが望ましい。その他、基本構成は、図１〜図３に示した実施形態と同様に実施できる。このため、図７において、図１〜図３と同一部分（同一機能部分）については同一符号を付してその構成を明確にするとともに、その詳細な説明は省略する。
【００３４】
図８は、噴霧機構移動部４の変更例を示す。図２及び図３に示した噴霧機構移動部４は、動力アクチュエータ部７ａ，７ｂ，７ｃを利用したが、図８に示す変更例は、噴霧機構支持部３に支持される薬液噴霧機構部２を、上位置Ｘｕと下位置Ｘｄの二位置へマニュアル操作により昇降移動させる手動操作部８を用いたものである。例示の手動操作部８は、回転操作するハンドル７２を示すが、レバー等の他の手動操作部８を用いてもよい。通常、薬液を散布する場所は事前に判っているため、作業者は、予め手動操作部８をマニュアル操作して、薬液噴霧機構部２を上位置Ｘｕ又は下位置Ｘｄに移動させておけばよい。このような手動操作部８を用いれば、動力アクチュエータ部（リニアアクチュエータ）７ａ，７ｂ，７ｃは不要になる。したがって、簡易な構造により構築することができ、低コスト性に優れる。その他、基本構成は、図２及び図３に示した実施形態と同様に実施できる。このため、図８において、図２及び図３と同一部分（同一機能部分）については同一符号を付してその構成を明確にするとともに、その詳細な説明は省略する。
【００３５】
図９は、薬液噴霧機構部２の変更例を示す。図１〜図３に示した薬液噴霧機構部２は、全体（全部）を移動対象として構成したが、図９に示す変更例は、薬液噴霧機構部２の一部、即ち、噴霧ノズル部Ｎ…を含む噴霧部２２のみを上位置Ｘｕ又は下位置Ｘｄに移動できるようにしたものである。このため、図９に示すように、薬液噴霧機構部２に備えるベースフレーム部２１はシャーシ５１に対して一体に構成した。したがって、送風ファン５ｆを含む風洞部５もシャーシ５１に対して一体に固定される。一方、噴霧ノズル部Ｎ…及び整流板２３，２４を含む噴霧部２２は、ベースフレーム部２１から分離し、別途の可動フレーム部７３上に配設するとともに、この可動フレーム部７３をリニアアクチュエータ７ａ…により昇降させることにより、噴霧部２２のみを上位置Ｘｕ又は下位置Ｘｄに移動できるようにした。このように構成すれば、リニアアクチュエータ７ａ…により昇降させる対象物の軽量化を図れるため、リニアアクチュエータ７ａ…の小型化を図れるとともに、他の構成においても機械的強度などの点で有利になる。しかし、上位置Ｘｕと下位置Ｘｄでは、噴霧能力（噴霧性能）に差が出る点が不利になる。なお、この例では、噴霧部２２の全体を変位させたが、噴霧ノズル部Ｎ…のみを変位させることもできる。その他、基本構成は、図１〜図３に示した実施形態と同様に実施できる。このため、図９において、図１〜図３と同一部分（同一機能部分）については同一符号を付してその構成を明確にするとともに、その詳細な説明は省略する。
【００３６】
以上、最良の実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。例えば、噴霧機構移動部４は、薬液噴霧機構部２を上位置Ｘｕ又は下位置Ｘｄの二位置へ選択的に変位させる場合を示したが、三位置以上へ変位させてもよいし、任意の位置へ変位させることができるようにしてもよい。また、リニアガイド６ｕｐ，６ｕｑ，６ｄｐ，６ｄｑは四つ使用し、動力アクチュエータ部７ａ，７ｂ，７ｃは三つ使用した例を挙げたが、これらは任意の数量で実施できる。さらに、リニアガイド６ｕｐ…と動力アクチュエータ部７ａ…は両者が一体のタイプを用いてもよい。
【図面の簡単な説明】
【００３７】
【図１】本発明の最良の実施形態に係るスピードスプレーヤの要部の構成を示す側面図、
【図２】同スピードスプレーヤの要部の構成を示す背面図、
【図３】同スピードスプレーヤの要部を抽出して示す原理構成図、
【図４】同スピードスプレーヤの要部を抽出して示す断面側面図、
【図５】同スピードスプレーヤの作用説明図、
【図６】同スピードスプレーヤの全体を示す外観側面図、
【図７】本発明の変更実施形態に係るスピードスプレーヤの後部の構成を示す外観側面図、
【図８】本発明の他の変更実施形態に係るスピードスプレーヤの後部の構成を示す外観側面図、
【図９】本発明の他の変更実施形態に係るスピードスプレーヤの後部の構成を示す外観側面図、
【図１０】従来技術に係るスピードスプレーヤの作用説明図、
【符号の説明】
【００３８】
１：スピードスプレーヤ，２：薬液噴霧機構部，２ｆ：薬液噴霧機構部の前端部，３：噴霧機構支持部，４：噴霧機構移動部，５：風洞部，５ｆ：送風ファン，６ｕｐ：リニアガイド，６ｕｑ：リニアガイド，６ｄｐ：リニアガイド，６ｄｑ：リニアガイド，７ａ：動力アクチュエータ部，７ｂ：動力アクチュエータ部，７ｃ：動力アクチュエータ部，８：手動操作部，１０：薬液タンク，Ｌ：薬液，Ｎ…：噴霧ノズル部，Ｘｕ：上位置，Ｘｄ：下位置
【図１】
2009195766.tif 000003
【図２】
2009195766.tif 000004
【図３】
2009195766.tif 000005
【図４】
2009195766.tif 000006
【図５】
2009195766.tif 000007
【図６】
2009195766.tif 000008
【図７】
2009195766.tif 000009
【図８】
2009195766.tif 000010
【図９】
2009195766.tif 000011
【図１０】
2009195766.tif 000012